(57)【要約】      （修正有）【課題】ジャンパー線を変形等させることなく電気的な接続が確実に行なわれる電子基板の接続構造を提供する。【解決手段】プリント基板本体１には、外縁が湾状に入込んだ湾状部３が設けられている。湾状部３を一方から他方へ渡すようにジャンパー線５が配設され、その湾状部３には、スプリング７を係止する係止部４が設けられている。ユニット９には、プリント基板本体１の側に向かってスプリング７が装着されている。スプリング７は、所定の径をもって巻かれた第１の部分と、先端部分に位置してその所定の径よりも小さい径をもって巻かれた第２の部分とを備えている。プリント基板本体１の湾状部３に設けられた係止部４はスプリング７の第１の部分を係止する。一方、スプリング７の第２の部分は係止部４を通過してジャンパー線５に接触する。【選択図】図１
2007201159.tif 000002
【特許請求の範囲】
【請求項１】
電子基板を所定の機能を有するユニットに電気的に接続するための電子基板の接続構造であって、
前記電子基板は、
所定の部品が取付けられ、外縁が湾状に入込んだ湾状部を有するプリント基板本体と、
前記湾状部を渡すように配設されたジャンパー線と
を有し、
前記ユニットは、前記プリント基板本体の側に向って装着されて前記ジャンパ線と接続されるスプリングを有し、
前記スプリングは、
所定の径をもって巻かれた第１の部分と、
前記第１の部分に接続されて先端部分に位置し、前記所定の径よりも小さい径をもって巻かれた第２の部分と
を備え、
前記プリント基板本体の前記湾状部は、前記第２の部分の通過を許容して前記スプリングの前記第１の部分を係止する係止部を備え、
前記プリント基板本体は、前記スプリングの前記第１の部分が前記係止部に係止された状態で前記第２の部分が前記ジャンパ線に接触する態様で前記ユニットと電気的に接続された、電子基板の接続構造。
【請求項２】
所定の部品が取付けられ、外縁が湾状に入込んだ湾状部を有する電子基板本体と、
前記湾状部を渡すように配設されたジャンパー線と、
前記電子基板本体と並設され、所定の機能を有するユニットと、
前記電子基板本体と前記ユニットとを電気的に接続するスプリングと
を備え、
前記電子基板本体は、前記スプリングの付勢力を直接前記電子基板本体で受けながら前記スプリングの先端部分を前記ジャンパ線に接触させる態様で前記ユニットと電気的に接続された、電子基板の接続構造。
【請求項３】
前記電子基板本体の前記湾状部は、前記スプリングの付勢力を受ける係止部を備え、
前記スプリングは前記係止部に係止された状態で前記スプリングの前記先端部分が前記ジャンパ線に接触する、請求項２記載の電子基板の接続構造。
【請求項４】
前記スプリングは、
所定の径をもって巻かれた第１の部分と、
前記先端部分として前記第１の部分に接続され、前記所定の径よりも小さい径をもって巻かれた第２の部分と
を含み、
前記係止部は、前記スプリングの前記第１の部分を係止して前記第２の部分の通過を許容する、請求項３記載の電子基板の接続構造。
【請求項５】
前記ジャンパー線は、前記電子基板本体の表面側に取付けられた、請求項２〜４のいずれかに記載の電子基板の接続構造。
【請求項６】
前記ユニットは、レーザプリンタ装置の定着ユニットに所定の電力を供給するとともに、トナーカートリッジに所定の電力を供給する、請求項２〜５のいずれかに記載の電子基板の接続構造。
【発明の詳細な説明】
【技術分野】
【０００１】
本発明は電子基板の接続構造に関し、特に、ジャンパー線とスプリングによる電子基板の接続構造に関するものである。
【背景技術】
【０００２】
電子機器等の小型化や高実装化に対応するため、電子部品等が取付けられるプリント基板には、他の基板や他の部品等を搭載した所定のユニットとの電気的な接続をするために、ジャンパー線が配設される。ここで、そのようなジャンパー線を備えたプリント基板とユニットとの従来の電気的な接続構造について説明する。図１２に示すように、プリント基板本体１０１には、外縁が湾状に入込んだ湾状部１０３が形成されている。ジャンパー線１０５は、外縁が入込んだ部分を越えて湾状部１０３を一方から他方へ渡すようにプリント基板本体１０１に取付けられている。
【０００３】
一方、ユニット１０９にはプリント基板本体１０１の側に向かってスプリング１０７が装着されている。そのスプリング１０７の先端部分をジャンパー線１０５に接触させることによって、ユニット１０９とプリント基板本体１０１との電気的な接触が図られている。なお、このようなジャンパー線とスプリングを用いたプリント基板とユニットとの接続構造を開示した文献として、特許文献１および特許文献２がある。
【特許文献１】特開２００３−１２４６１５号公報
【特許文献２】特開２００１−３２６４７９号公報
【発明の開示】
【発明が解決しようとする課題】
【０００４】
しかしながら、ジャンパー線１０５とスプリング１０７を用いた従来の接続構造では、次のような問題点があった。スプリング１０７の先端部分をジャンパー線１０５に接触させることによって、ジャンパー線１０５には、矢印１３０に示すように、スプリング１０７の付勢力の全体が作用することになる。そのため、ジャンパー線１０５がそのスプリング１０７の付勢力によって変形を起こしてしまったり、あるいは、ジャンパー線１０５が破損してしまうおそれがあった。
【０００５】
特に、図１３に示すように、スプリング１０７をジャンパー線１０５に接触させる構造が複数設けられている場合には、ジャンパー線１０５が受けるスプリング１０７の付勢力（矢印１３０）にばらつきが生じてしまい、ジャンパー線１０５がプリント基板本体１０１から外れてしまったり、あるいは破損してしまい、プリント基板本体１０１とユニット１０９とを電気的に良好に接続することができなくなるという問題があった。
【０００６】
本発明は、上記問題点を解決するためになされたものであり、その目的は、ジャンパー線を変形等させることなく電気的な接続が確実に行なわれる電子基板の接続構造を提供することである。
【課題を解決するための手段】
【０００７】
本発明に係る電子基板の接続構造は、電子基板を所定の機能を有するユニットに電気的に接続するための電子基板の接続構造である。その電子基板は、プリント基板本体とジャンパー線とを有している。プリント基板本体には所定の部品が取付けられ、外縁が湾状に入込んだ湾状部を有している。ジャンパー線はその湾状部を渡すように配設されている。ユニットは、プリント基板の側に向って装着されてジャンパ線と接続されるスプリングを有している。そのスプリングは、所定の径をもって巻かれた第１の部分と、その第１の部分に接続されて先端部分に位置し、所定の径よりも小さい径をもって巻かれた第２の部分とを備えている。プリント基板本体の湾状部は、第２の部分の通過を許容してスプリングの第１の部分を係止する係止部を備えている。プリント基板本体は、スプリングの第１の部分が係止部に係止された状態で第２の部分がジャンパ線に接触する態様でユニットと電気的に接続されている。
【０００８】
この構成によれば、スプリングの第１の部分をプリント基板本体の係止部に係止させた状態で、スプリングの第２の部分をジャンパー線に接触させることで、スプリングの付勢力の大部分はプリント基板本体の係止部によって受けられて、ジャンパー線に直接作用するスプリングの付勢力を大幅に低減することができる。その結果、ジャンパー線を変形させたり、あるいは、破損させることなくプリント基板本体とユニットとを電気的に確実に接続することができる。
【０００９】
本発明に係る他の電子基板の接続構造は、電子基板本体とジャンパー線とユニットとスプリングとを備えている。電子基板本体には所定の部品が取付けられ、外縁が湾状に入込んだ湾状部を有している。ジャンパー線は湾状部を渡すように配設されている。ユニットは電子基板本体と並設され、所定の機能を有している。スプリングは電子基板本体とユニットとを電気的に接続している。その電子基板本体は、スプリングの付勢力を直接電子基板本体で受けながらスプリングの先端部分をジャンパ線に接触させる態様でユニットと電気的に接続されている。
【００１０】
この構造によれば、電子基板本体とユニットとを電気的に接続するスプリングの付勢力を直接電子基板本体で受けながらスプリングの先端部分をジャンパ線に接触させることで、ジャンパー線に直接作用するスプリングの付勢力を大幅に低減することができる。その結果、ジャンパー線を変形させたり、あるいは、破損させることなくプリント基板本体とユニットとを電気的に確実に接続することができる。
【００１１】
スプリングの付勢力を直接電子基板本体で受けるには、電子基板本体の湾状部は、スプリングの付勢力を受ける係止部を備え、スプリングは係止部に係止された状態でスプリングの先端部分がジャンパ線に接触することが好ましい。
【００１２】
また、より具体的に、スプリングは、所定の径をもって巻かれた第１の部分と、先端部分として第１の部分に接続され、所定の径よりも小さい径をもって巻かれた第２の部分とを含み、係止部は、スプリングの第１の部分を係止して第２の部分の通過を許容することが好ましい。
【００１３】
これにより、スプリングの付勢力の大部分はプリント基板本体の係止部によって受けられて、ジャンパー線に直接作用するスプリングの付勢力を大幅に低減することができる。
【００１４】
電子基板本体の裏側にハンダ付けのために塗布されるフラックスがジャンパー線に付着するのを防止する観点から、ジャンパー線は、電子基板本体の表面側に取付けられていることが好ましい。
【００１５】
より具体的な電子基板の接続構造として、ユニットは、レーザプリンタ装置の定着ユニットに所定の電力を供給するとともに、トナーカートリッジに所定の電力を供給することが好ましい。
【発明を実施するための最良の形態】
【００１６】
本発明の実施の形態に係る電子基板の接続構造について説明する。図１〜図３に示すように、所定の部品が取付けられたプリント基板本体１には、外縁が湾状に入込んだ湾状部３が設けられている。その湾状部３を一方から他方へ渡すようにジャンパー線５が配設されている。その湾状部３には、後述するスプリング７を係止する係止部４が設けられている。
【００１７】
一方、所定の機能を有するユニット９には、プリント基板本体１の側に向かってスプリング７が装着されている。そのスプリングは、図４に示すように、所定の径をもって巻かれた第１の部分７ａと、先端部分に位置してその所定の径よりも小さい径をもって巻かれた第２の部分７ｂとを備えている。プリント基板本体１の湾状部３に設けられた係止部４は、そのスプリング７の第１の部分７ａを係止する。一方、スプリング７の第２の部分７ｂは係止部４を通過してジャンパー線５に接触する。
【００１８】
なお、プリント基板本体においてジャンパー線を設けるのは次のような背景がある。プリント基板本体では、プリント基板本体の表面側に取付けられる電子分品等は裏面側においてハンダ等によって所定のプリント回路と電気的に接続される。そのため、プリント基板本体の裏側には、ハンダの濡れ性を高めるためにあらかじめフラックスが塗布される。そのプリント基板本体の裏側に位置する所定の端子と電気的な接触を図ろうとする場合に、フラックスが存在すると電気的接触不良の原因となる。そのため、フラックスを事前に除去する作業が必要になり、工程が増えることになる。
【００１９】
このようなフラックスの除去という付加的な作業を省いてプリント基板本体の裏面側からジャンパー線との電気的な接触を図ることができるように、ジャンパー線はプリント基板本体の表面側に取付けられ、プリント基板本体には、そのジャンパー線を覆ってジャンパー線にフラックスが塗布されるのを遮蔽する基板部分が設けられる。この基板部分は捨て基板部と称されて、最終的には取り除かれることになる。プリント基板本体において、その取り除かれた部分が湾状部となる。
【００２０】
上述した電子基板の接続構造では、スプリング７の第１の部分７ａをプリント基板本体１の係止部４に係止させた状態で、スプリング７の第２の部分７ｂをジャンパー線５に接触させている。これにより、図５に示すように、スプリング７の付勢力の大部分（矢印３１）はプリント基板本体１の係止部４によって受けられて、ジャンパー線５に直接作用するスプリング７の付勢力（矢印３２）を大幅に低減することができる。その結果、ジャンパー線５を変形させたり、あるいは、破損させることなくプリント基板本体１とユニット９とを電気的に確実に接続することができる。
【００２１】
また、スプリング７の付勢力の大部分を係止部４に係止させることができるので、スプリング７として、より付勢力の強いスプリングを使用することができる。これにより、プリント基板本体１とユニット９とがたとえ振動を起こしたとしても、スプリング７がずれてしまうのを防止して、電気的な接触が損なわれるのを防止することができる。
【００２２】
さらに、図６および図７に示すように、スプリング７をジャンパー線５に接触させる構造が複数設けられている場合には、スプリング７の付勢力をプリント基板本体１によって直接受けることで、スプリング７そのものの付勢力のばらつきや、プリント基板本体１とユニット９との相対的な位置関係等に起因するスプリング７の付勢力のばらつきをプリント基板本体１によって吸収することができる。これにより、ジャンパー線５にはスプリング７の第２の部分７ｂによるほぼ一定の比較的弱い付勢力（矢印３２）を作用させることができて、ジャンパー線５の変形等を確実に抑えてスプリング７とジャンパー線５との電気的な接触を図ることができる。
【００２３】
変形例
なお、上述した電子基板の接続構造では、プリント基板本体１に設けられる、スプリング７の付勢力を係止する係止部４として、湾状部３におけるジャンパー線５が延在する方向に沿って互いに対向する部分において、一方の部分から他方の部分へ向って突出する突出部と、他方の部分から一方の部分へ向って突出する突出部とを例に挙げて説明した。係止部４としては、このような突出部に限られず、スプリング７の第２の部分７ｂの通過を許容して第１の部分７ａを係止することができる形状であれば、たとえば図８に示すように、一定の間隔を隔てられた係止部４を備えた湾状部３でもよい。
【００２４】
適用例
次に、電子基板の接続構造を適用した電子装置の一例として、レーザプリンタ装置を例に挙げて説明する。図９に示すように、レーザプリンタ装置１１では、レーザプリンタ装置１１の給紙口１５から給紙される所定の用紙（図示せず）が感光体１２を通過する際に、レーザスキャニングユニット（図示せず）により画像信号に基づいた所定のレーザ光線をその感光体１２に照射することによってその用紙にトナーが転写されることになる。
【００２５】
そのトナーはカートリッジ１３から供給される。トナーが転写された用紙は、定着ユニット（図示せず）において所定の温度にて定着処理が施され、その定着処理が施された用紙は排紙口１６から排紙されることになる。この一連の印刷動作において、感光体１２とトナーを帯電させてトナーを用紙に転写するために、感光体１２とトナーカートリッジ１３にはそれぞれ所定の電力が供給されることになる。
【００２６】
図９に示すレーザプリンタ装置１１では、レーザプリンタ装置１１を制御する制御基板部２からこれら感光体１２とトナーカートリッジ１３への電力の供給経路に、上述した電子基板の接続構造ジャンパー線５とスプリング７による接続構造を適用した態様のものである。ユニット９に設けられて感光体１２とトナーカートリッジ１３にそれぞれ接続されたスプリング７の先端部分が、制御基板部２に配設された対応するジャンパー線５に接触する。
【００２７】
このとき、上述したように、スプリング７の付勢力を制御基板部２によって直接受けることで、スプリング７そのものの付勢力のばらつきや、制御基板本体２とユニッ９トとの相対的な位置関係に起因するスプリング７の付勢力のばらつきを制御基板本体２によって吸収することができて、ジャンパー線５にはスプリング７の第２の部分によるほぼ一定の比較的弱い付勢力を作用させることができる。その結果、ジャンパー線５の変形等を確実に抑えてスプリング７とジャンパー線５との電気的な接触を確実に図ることができて、レーザプリンタ装置１１による印刷動作をより確実なものにすることができる。
【００２８】
なお、スプリングとして、所定の径をもって巻かれた第１の部分７ａと、先端部分に位置してその所定の径よりも小さい径をもって巻かれた第２の部分７ｂとを備えたスプリングを例に挙げて説明した。スプリングの形状としてはこのような形状に限られず、たとえば、図１０に示すように、所定の径をもって巻かれた第１の部分から先端部にかけてその径が徐々に減少するような態様で巻かれたスプリング７や、また、図１１に示すように、所定の径をもって巻かれた第１の部分から特に巻かれることなく単に突出させた態様のスプリング７など、スプリングの実質的な付勢力を基板本体部の係止部によって受けることができるスプリングを幅広く適用することができる。
【００２９】
今回開示された実施の形態はすべて例示であって、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３０】
【図１】本発明の実施の形態に係るプリント基板の接続構造を示す斜視図である。
【図２】同実施の形態において、図１に示すプリント基板の接続構造を示す正面図である。
【図３】同実施の形態において、図１に示すプリント基板の接続構造を示す上面図である。
【図４】同実施の形態において、プリント基板の接続構造に用いられるスプリングを示す側面図である。
【図５】同実施の形態において、プリント基板の接続構造の効果を説明するための第１の正面図である。
【図６】同実施の形態において、プリント基板の接続構造の効果を説明するための斜視図である。
【図７】同実施の形態において、プリント基板の接続構造の効果を説明するための第２の正面図である。
【図８】同実施の形態において、変形例に係るプリント基板の接続構造を示す斜視図である。
【図９】同実施の形態において、プリント基板の接続構造のレーザプリンタ装置への適用例を示す斜視図である。
【図１０】同実施の形態において、スプリングの変形例を示す部分斜視図である。
【図１１】同実施の形態において、スプリングの他の変形例を示す部分斜視図である。
【図１２】従来のプリント基板の接続構造を示す斜視図である。
【図１３】従来のプリント基板の接続構造の問題点を説明するための正面図である。
【符号の説明】
【００３１】
１  プリント基板本体、２  基板部、３  湾状部、４  係止部、５  ジャンパー線、７  スプリング、７ａ  大径部、７ｂ  小径部、９  ユニット、１１  レーザプリンタ装置、１２  定着ユニット、１３  カートリッジ、１４  接触端子、１５  給紙口、１６  排紙口。
【図１】
2007201159.tif 000003
【図２】
2007201159.tif 000004
【図３】
2007201159.tif 000005
【図４】
2007201159.tif 000006
【図５】
2007201159.tif 000007
【図６】
2007201159.tif 000008
【図７】
2007201159.tif 000009
【図８】
2007201159.tif 000010
【図９】
2007201159.tif 000011
【図１０】
2007201159.tif 000012
【図１１】
2007201159.tif 000013
【図１２】
2007201159.tif 000014
【図１３】
2007201159.tif 000015